(57)【要約】【課題】従来のこの種の誘導電動機は、シャフト、ロータ、ステータからなる誘導電動機のロータに付けたファンによりブラケットの開いた窓から空気を吸収し、送風用ガイドを経てステータの背面へ空気を流す系において、周方向に分布するステータ背面とブラケットの間のリブを断続的に設けている。しかし前記従来の構成では、誘導電動機のブラケットの開いた窓から水分等が入り内部が錆びてしまうと言う課題を有していた。【解決手段】反負荷側のブラケットＢ８に高熱伝導率の非鉄系材で構成された放熱板９を取付け、出力に応じ放熱９の大きさを自由に変えられる構造とする。これによりブラケットに窓を設けることなく従来と同等以上の冷却性能を実現することができる、また、放熱板の形状を規則的または不規則的な凹凸状にすることにより、より放熱効果が向上する。【選択図】図１
2007221852.tif 000002
【特許請求の範囲】
【請求項１】
ベアリングを介して回転自由に保持された積層電磁鋼板からなるロータと、前記ベアリングを保持するブラケットと、前記ブラケットにより挟み込まれたステータを有する誘導電動機であって、前記ブラケットの反負荷側に高熱伝導率の非鉄系材で構成された放熱板を取付ける構造としたことを特徴とする誘導電動機。
【請求項２】
放熱板をアルミニュウム材で構成するとともに、放熱板を規則的または不規則的な凹凸状に構成し、誘導電動機の出力に応じ放熱板の大きさを自由に変えられる構造としたことを特徴とする請求項１記載の誘導電動機。
【請求項３】
放熱板をアルミニュウム材で構成するとともに、放熱板をステータの円周部のみ凸状に構成し、誘導電動機の出力に応じ放熱板の大きさを自由に変えられる構造としたことを特徴とする請求項１記載の誘導電動機。
【請求項４】
放熱板をアルミニュウム材で構成するとともに、放熱板の反軸側の側面を規則的または不規則的な凹凸状とするとともに、ステータの部分のみ凸状に構成し、誘導電動機の出力に応じ放熱板の大きさを自由に変えられる構造としたことを特徴とする請求項１記載の誘導電動機。
【請求項５】
請求項１〜４のいずれか１項に記載の誘導電動機を用いた空気調和機。
【発明の詳細な説明】
【技術分野】
【０００１】
本発明は、誘導電動機に関するものである。
【背景技術】
【０００２】
従来のこの種の誘導電動機は、図５、図６に示すように、シャフト１０１、ロータ１０２、ステータ１０３からなる誘導電動機のロータ１０２に付けたファン１０４によりブラケット１０５の開いた窓１０６から空気を吸収し、ステータ１０３の背面へ空気を流す系において、周方向に分布するステータ１０３背面とブラケット１０５の間のリブ１０７を断続的に設けている（例えば、特許文献１参照）。
【特許文献１】特開平７−２６４８０２号公報
【発明の開示】
【発明が解決しようとする課題】
【０００３】
しかしながら上記のような構成では、誘導電動機のブラケット１０５の開いた窓１０６から水分等が入り内部が錆びてしまうと言う課題を有していた。
【０００４】
本発明は、前記従来の課題を解決するもので、反負荷側のブラケットＢに高熱伝導率の非鉄系材で構成された放熱板を取付ける構造とすることにより、ブラケットに窓を設けることなく簡易な構成で従来と同等以上の冷却性能を可能とし、内部が錆びることのない誘導電動機を提供することを目的とする。
【課題を解決するための手段】
【０００５】
前記従来の課題を解決するために、本発明の誘導電動機は、ベアリングを介して回転自由に保持された積層電磁鋼板からなるロータと、前記ベアリングを保持するブラケットと、前記ブラケットにより挟み込まれたステータを有する誘導電動機であって、前記反負荷側のブラケットＢに高熱伝導率の非鉄系材で構成された放熱板を取付け、出力に応じ放熱板の大きさを自由に変えられる構造とする。これによりブラケットの窓から水分等が入り内部が錆びることがなく、従来と同等以上の冷却性能を実現することができる。
【０００６】
また、放熱板の形状を規則的または、不規則的な凹凸状にすることにより、より放熱効果が向上し高出力化が可能となる。
【発明の効果】
【０００７】
本発明の誘導電動機は、反負荷側のブラケットＢに高熱伝導率の非鉄系材で構成された放熱板を取付け出力に応じ放熱板の大きさを自由に変えられる構造とすることにより簡易な構成で、冷却性能を向上させることができる。また、放熱板の形状を規則的または、不規則的な凹凸状にすることにより、より放熱効果が向上する。
【発明を実施するための最良の形態】
【０００８】
第１の発明は、ベアリングを介して回転自由に保持された積層電磁鋼板からなるロータと、前記ベアリングを保持するブラケットと、前記ブラケットにより挟み込まれたステータを有する誘導電動機であって、前記反負荷側のブラケットに高熱伝導率の非鉄系材で構成された放熱板を取付ける構造とする。放熱板を反負荷側のブラケットＢに取付けることによりステータに巻かれたコイルの放熱効果が向上し、ブラケットに窓を設けることなく、従来と同等以上の高出力化が可能となる。
【０００９】
第２の発明は、放熱板をアルミニュウムで構成するとともに、放熱板を規則的または不
規則的な凹凸状に構成し、誘導電動機の出力に応じ放熱板の大きさを自由に変えられる構造とすることにより、簡易な構成でステータに巻かれたコイルの放熱効果を向上させることができる。
【００１０】
第３の発明は、放熱板をアルミニュウム材で構成するとともに、放熱板をステータの部分のみ凸状に構成し誘導電動機の出力に応じ放熱板の大きさを自由に変えられる構造としたことにより、簡易な構成でステータに巻かれたコイルの放熱効果を向上させることができる。
【００１１】
第４の発明は、放熱板をアルミニュウム材で構成するとともに、放熱板の反軸側の側面を規則的または不規則的な凹凸状とするとともに、ステータの円周部のみ凸状に構成し、モ−タの出力に応じ放熱板の大きさを自由に変えられる構造としたことにより、簡易な構成でステータに巻かれたコイルの放熱効果を向上させることができる。
【００１２】
第５の発明は、上記１〜４の発明の誘導電動機を、空気調和機の室外機に使用されるのが好ましい。空気調和機の室外機は、冷房運転時熱交換器により高温となり送風ファンにより誘導電動機に高温の風があたり、誘導電動機内のステータに巻かれたコイルの温度が上昇する。反負荷側のブラケットに放熱板を取付けることにより放熱面積が増えステータに巻かれたコイルの放熱効果を向上させることができる。
【００１３】
以下、本発明の実施の形態について、図面を参照しながら説明する。なお、この実施の形態によって本発明が限定されるものではない。
【００１４】
（実施の形態１）
図１に発明の実施の形態１における誘導電動機の一部断面図を示す。  本実体の形態の誘導電動機は、ロ−タ１と、シャフト２、ベアリングＡ３、ベアリングＢ４からなるロータ完成体を有しステ−タ５には、コイル６が巻かれている。出力軸側のベアリングＡ３は、ブラケットＡ７によりステ−タ完成体に固定され、反出力側のベアリングＢ４はブラケットＢ８によりステ−タ完成体に固定されている
反出力側のブラケットＢ４にφ１００、厚み５ｍｍの高熱伝導率の非金属で構成された凹状の放熱板９を反出力側のブラケットＢ４に取付けることにより、放熱面積が増えブラケットＢ４の熱を放熱することができる。また、ブラケットＢ４と放熱板９の間に放熱シリコン等を塗布するとより放熱効果が向上する。
【００１５】
（実施の形態２）
本実施の形態は、上記の実施の形態１と放熱板の形状おいて相違し、その他の点では実施形態１と同様である。図２に誘導電動機の一部断面図を示す。
【００１６】
本実体の形態は、図２のように幅５ｍｍの放熱板９ａを幅５ｍｍ、高さ１５ｍｍの規則的または不規則的な凹凸状に構成し、誘導電動機の出力に応じ放熱板９ａの大きさを自由に変える。このように、放熱板９ａの形状を規則的または不規則的な凹凸状に構成することにより、より放熱効果が向上し誘導電動機の仕様および形状を変更することなく高出力化が可能となる。
【００１７】
（実施の形態３）
本実施の形態は、上記の実施の形態１と放熱板９ｂの形状おいて相違し、その他の点では実施形態１と同様である。図３に誘導電動機の一部断面図を示す。
【００１８】
本実体の形態は、図３のように放熱板９ｂのステータ６ｂ円周部のみ厚み５ｍｍ、高さ１５ｍｍの凸部を構成し、誘導電動機の出力に応じ放熱板９ｂの大きさを自由に変える。
このように、ステータ６ｂの円周部に凸部を構成することにより、より放熱効果が向上し誘導電動機の仕様および形状を変更することなく高出力化が可能となる。
【００１９】
（実施の形態４）
本実施の形態は、上記の実施の形態１と放熱板９ｃの形状おいて相違し、その他の点では実施形態１と同様である。図４に誘導電動機の一部断面図を示す。
【００２０】
本実体の形態は、図４のように放熱板９ｃの反軸側の側面を規則的または不規則的な凹凸状とするとともに、ステータ６ｃの円周部を厚み５ｍｍ、高さ１５ｍｍの凸部で構成し、誘導電動機の出力に応じ放熱板９ｃの大きさを自由に変える。このように、放熱板９ｃの形状を規則的または不規則的な凹凸状に構成することにより、より放熱効果が向上し誘導電動機の仕様および形状を変更することなく高出力化が可能となる。
【００２１】
（実施の形態５）
上記実施の形態１〜４の誘導電動機は、空気調和機用誘導電動機として使用されるのが好ましい。近年、空気調和機の高性能化が進み誘導電動機の高出力化が要求される。従って、上記形態１〜４の誘導電動機を空気調和機用の誘導電動機として使用すると本発明の効果がより顕著に発現する。
【産業上の利用可能性】
【００２２】
以上のように、本発明にかかる誘導電動機は、反負荷側のブラケットに高熱伝導率の非鉄系材で構成された放熱板を取付ける構造とする。出力に応じ放熱板の大きさを自由に変えられる構造とすることにより、簡易な構成で冷却性能を向上させることができる。また、放熱板の形状を規則的または、不規則的な凹凸状にすることにより、より放熱効果が向上するため空気調和機室外機の誘導電動機等の用途に適する。
【図面の簡単な説明】
【００２３】
【図１】本発明の実施の形態１における誘導電動機の部分断面図
【図２】本発明の実施の形態２における誘導電動機の部分断面図
【図３】本発明の実施の形態３における誘導電動機の部分断面図
【図４】本発明の実施の形態４における誘導電動機の部分断面図
【図５】従来の誘導電動機の部分断面図
【図６】従来の誘導電動機の部分拡大図
【符号の説明】
【００２４】
１  ロ−タ
２  シャフト
３  ベアリングＡ
４  ベアリングＢ
５  ステ−タ
６  コイル
７  ブラケットＡ
８  ブラケットＢ
９  放熱板
【図１】
2007221852.tif 000003
【図２】
2007221852.tif 000004
【図３】
2007221852.tif 000005
【図４】
2007221852.tif 000006
【図５】
2007221852.tif 000007
【図６】
2007221852.tif 000008